(57)【要約】【課題】マンションの共用廊下で例えば蛍光灯の管の取り替え作業を行う時に踏台に乗った作業者が共用廊下の手摺りから転落することのないような手段を講じた共用廊下作業用踏台を提供する。【解決手段】作業用天板２の前端部に梯子状の前脚体３を設け、作業用天板２の後端部には、後脚部４と、後脚部４の上方に一体に延びて共用廊下での使用時に共用廊下の手摺りＣよりも高さが高くなる安全手摺り部５とからなる後部枠体６を取り付け、後部枠体６には、共用廊下の手摺りＣの頂部Ｃｏに固定可能な掴み固定具７を、後部枠体６に対して高さ調整可能な取付手段８を介して取り付ける。【選択図】図１
2010174526.tif 000002
【特許請求の範囲】
【請求項１】
共用廊下での作業に使用される踏台であって、作業用天板の前端部に梯子状の前脚体を設け、作業用天板の後端部には、後脚部と、これの上方に一体に延びて共用廊下での使用時に共用廊下の手摺りより高さが高くなる安全手摺り部とからなる後部枠体を取り付け、この後部枠体には、共用廊下の手摺りの頂部に固定可能な掴み固定具を、後部枠体に対して高さ調整可能な取付手段を介して取り付けてなる共用廊下作業用踏台。
【請求項２】
前脚体は、作業用天板の前端部に、回転連結金具を介して、使用位置と作業用天板の下面側に折り畳まれる折畳位置との間で回転可能に枢着され、作業用天板の後端部は、後部枠体に対し、使用位置と後部枠体の前面側に折り畳まれる折畳位置との間で回転可能に枢着されてなる請求項１に記載の共用廊下作業用踏台。
【請求項３】
掴み固定金具は、上板部と両端板部とからなる下向きコ字状の金具本体と、金具本体の一方の端板部に螺通される締付用螺軸と、この螺軸の先端部に取り付けた押え片とからなるもので、金具本体を手摺りの頂部に跨嵌させて締付用螺軸を回転させることにより、金具本体を共用廊下の手摺り頂部に固定するようにしてなる請求項１又は２に記載の共用廊下作業用踏台。
【請求項４】
取付手段は、後部枠体に高さ調整可能に取り付けられる取付基枠と、この取付基枠に一端部が枢支軸で枢着され且つ他端部が掴み固定具７の金具本体の上板部に固定されて、取付基枠及び掴み固定具を連結する連結枠とからなり、連結枠は、取付基枠に対して、掴み固定具を使用位置に保持する水平位置と、後部枠体に添うように折り畳まれる折畳位置と間で回動可能で、且つ水平位置及び折畳位置で夫々固定可能となっている請求項３に記載の共用廊下作業用踏台。
【発明の詳細な説明】
【技術分野】
【０００１】
本発明は、マンションなどの共用廊下、特に外廊下（開放廊下）タイプの共用廊下での作業に使用される共用廊下作業用踏台に関するものである。
【背景技術】
【０００２】
現在、マンションの共用廊下の天井に設置されている蛍光灯の管の取り替え作業を行う時には脚立、踏台などが使用されるが、作業者が脚立や踏台に乗ると、共用廊下の手摺りの高さが作業者の腰高さに対し低くなり、そうなると作業者が手摺りから転落するという危険性がある。
【発明の概要】
【発明が解決しようとする課題】
【０００３】
本発明は、上記のようにマンションの共用廊下で蛍光灯の管の取り替え作業等を行う時に踏台に乗った作業者が共用廊下の手摺りから転落する危険性を回避するようにした共用廊下作業用踏台を提供することを目的としている。
【課題を解決するための手段】
【０００４】
上記課題を解決するための手段を、後述する実施形態の参照符号を付して説明すると、請求項１に係る発明は、共用廊下での作業に使用される踏台であって、作業用天板２の前端部に梯子状の前脚体３を設け、作業用天板２の後端部には、後脚部４と、これの上方に一体に延びて共用廊下での使用時に共用廊下の手摺りＣより高さが高くなる安全手摺り部５とからなる後部枠体６を取り付け、この後部枠体６には、共用廊下の手摺りＣの頂部Ｃｏに固定可能な掴み固定具７を、後部枠体６に対して高さ調整可能な取付手段８を介して取り付けてなることを特徴としている。
【０００５】
請求項２は、請求項１に記載の共用廊下作業用踏台において、前脚体３は、作業用天板２の前端部に、回転連結金具９を介して、使用位置と作業用天板２の下面側に折り畳まれる折畳位置との間で回転可能に枢着され、作業用天板２の後端部は、後部枠体６に対し、使用位置と後部枠体６の前面側に折り畳まれる折畳位置との間で回転可能に枢着されてなることを特徴とする。
【０００６】
請求項３は、請求項１又は２に記載の共用廊下作業用踏台において、掴み固定具７は、上板部１７ａと両端板部１７ｂ，１７ｂとからなる下向きコ字状の金具本体１７と、金具本体１７の一方の端板部１７ｂに螺通される締付用螺軸１８と、この螺軸１８の先端部に取り付けた押え片７ａとからなるもので、金具本体１７を手摺りＣの頂部Ｃｏに跨嵌させて締付用螺軸１８を回転させることにより、金具本体１７を共用廊下の手摺り頂部Ｃｏに固定するようにしてなることを特徴とする。
【０００７】
請求項４は、請求項３に記載の共用廊下作業用踏台において、取付手段８は、後部枠体６に高さ調整可能に取り付けられる取付基枠２１と、この取付基枠２１に一端部が枢支軸２３で枢着され且つ他端部が掴み固定具７の金具本体１７の上板部１７ａに固定されて、取付基枠２１及び掴み固定具７を連結する連結枠２２とからなり、連結枠２２は、取付基枠２１に対して、掴み固定具７を使用位置に保持する水平位置と、後部枠体６に添うように折り畳まれる折畳位置と間で回動可能で、且つ水平位置及び折畳位置で夫々固定可能となっていることを特徴とする。
【発明の効果】
【０００８】
上記解決手段による発明の効果を、後述する実施形態の参照符号を付して説明すると、請求項１に係る発明の踏台によれば、後部枠体６が、後脚部４の上方に一体に延びて共用廊下の手摺りＣよりも高さの高い安全手摺り部５を有することにより、作業者Ｍが作業用天板２上に上がった時に共用廊下の手摺りＣが作業者Ｍの腰高さに対して低くなっても、後部枠体６の安全手摺り部５が共用廊下の手摺りＣよりも高い位置にあるため、この安全手摺り部５により、作業者Ｍが例えば蛍光灯Ｅの管の取り替え作業中に誤って共用廊下の手摺りＣから転落する、という危険性を回避することができる。また、後部枠体６は、取付手段８を介して掴み固定具７によって共用廊下の手摺りＣに固定されるから、踏台１の転倒が防止され、作業者Ｍは作業用天板２上での作業を安全に行うことができる。また、後部枠体６に取り付けられる掴み固定具７は、共用廊下の手摺りＣの高さが変わっても、その頂部Ｃｏに的確に固定させることができる。
【０００９】
請求項２に係る発明によれば、前脚体３は、作業用天板２の前端部に、回転連結金具９を介して、使用位置と作業用天板２の下面側に折り畳まれる折畳位置との間で回転可能に枢着され、作業用天板２の後端部は、後部枠体６に対して、使用位置と後部枠体６の前面側に折り畳まれる折畳位置との間で回転可能に枢着されているから、踏台１の使用中に、住戸の住民がドアを開けたり、人が共用廊下を通行する時に踏台１が邪魔になれば、作業用天板２及び前脚体３を後部枠体６の前面側に簡単に折り畳むことができる。
【００１０】
請求項３に係る発明によれば、掴み固定具７は、上板部１７ａと両端板部１７ｂ，１７ｂとからなる下向きコ字状の金具本体１７と、金具本体１７の一方の端板部１７ｂに螺通される締付用螺軸１８と、この螺軸１８の先端部に取り付けた押え片７ａとからなるもので、金具本体１７を手摺りＣの頂部Ｃｏに跨嵌させて締付用螺軸１８を回転させることにより、金具本体１７を共用廊下の手摺り頂部Ｃｏに簡単に固定することができる。
【００１１】
請求項４に係る発明によれば、取付手段８は、後部枠体６に高さ調整可能に取り付けられる取付基枠２１と、取付基枠２１に一端部が枢支軸２３で枢着され且つ他端部が掴み固定具７の金具本体１７の上板部１７ａに固定され、取付基枠２１及び掴み固定具７を連結する連結枠２２とからなり、連結枠２２は、取付基枠２１に対し、掴み固定具７を使用位置に保持する水平位置と、後部枠体６に添うように折り畳まれる折畳位置と間で回動可能で且つ水平位置及び折畳位置で夫々固定可能であるから、踏台１の場所を移動するような時は、掴み固定具７の金具本体１７を手摺り頂部Ｃｏから取り外して、掴み固定具７及び連結枠２２を、枢支軸２３を中心に上向きに回動させて後部枠体６の背面側に折り畳むことによって、踏台１を所定の場所へ迅速容易に移動させることができる。
【図面の簡単な説明】
【００１２】
【図１】本発明に係る共用廊下作業用踏台の使用状態を示す側面図である。
【図２】(a) は図１に示す踏台の平面図、(b) は同踏台の使用状態を正面側から見た図であり、(c) は同踏台の使用状態を共用廊下の外側から見た背面図である。
【図３】同踏台を折り畳んだ状態を示す側面図である。
【図４】同踏台が折り畳まれる時の軌跡を示す側面図である。
【図５】回転連結金具を詳細に示す拡大図である。
【図６】(a) は掴み固定具及び取付手段の拡大正面図、(b) は平面図、(c) は(a) のＹ−Ｙ線断面図であり、(d) 及び(e) はそれ取付手段８の一部を示す正面図である。
【図７】(a) は図１の矢印Ｚで示す部分拡大正面図、(b) は同部分の拡大左側面図、(c) は同部分の拡大平面図である。
【発明を実施するための形態】
【００１３】
以下に本発明の好適な一実施形態を図面に基づいて説明すると、図１は本発明に係る共用廊下作業用踏台の使用状態を示す側面図であり、図２の(a) は図１に示す踏台の平面図、(b) は同踏台の使用状態を正面側から見た図であり、(c) は同踏台の使用状態を共用廊下の外側から見た背面図である。これらの図において、Ａはマンションの共用廊下の床、Ｂは共用廊下の天井、Ｃは共用廊下の手摺り、例えばＰＣ（プレキャストコンクリート）製の手摺りを示し、またＤは住戸の外壁を示し、そして１は本発明に係る共用廊下作業用踏台を示す。尚、この実施形態では、共用廊下の手摺りとして、コンクリート製の手摺りを例示しているが、金属柵タイプの手摺りでもよいし、またコンクリート製手摺りと金属柵手摺りとが併用された手摺りでもよい。
【００１４】
本発明に係る共用廊下作業用の踏台１は、作業用天板２の前端部に梯子状の前脚体３を設け、作業用天板２の後端部には、後脚部４と、この後脚部４の上方に一体に延びて共用廊下での使用時に共用廊下の手摺りＣよりも高さが高くなる安全手摺り部５とからなる梯子状の後部枠体６を取り付け、この後部枠体６には、共用廊下の手摺りＣの頂部Ｃｏに固定可能な掴み固定具７を、取付手段８を介して取り付けてなるものである。
【００１５】
上記踏台１の構造について更に詳しく説明すれば、前脚体３は、作業用天板２の前端部に、回転連結金具９を介して、図１及び図４の実線で示すような使用位置と、図３の実線で示すように作業用天板２の下面側に折り畳まれる折畳位置との間で回転可能に枢着され、また作業用天板２の後端部は、枢着金具１０によって、後部枠体６に対し、図１の実線で示すような水平姿勢の使用位置と、図３の実線で示すように後部枠体６体の前面側に折り畳まれる折畳位置との間で回転可能に枢着され、また前脚体３と後部枠体６の後脚部４との間にはブレース１１が枢支連結され、しかして作業用天板２、前脚体３及びブレース１１は、後部枠体６に対して図３の実線で示すように折り畳まれるようになっている。
【００１６】
前脚体３は、図２の(a) ，(b) に示すように、左右一対の脚柱１２，１２間に踏桟１３を横架してなるもので、各脚柱１２の外側面上端部と、作業用天板２の左右各側端面の前端部との間に回転連結金具９が介装される。また、後部枠体６は、図２の(c) に示すように、左右縦枠１４，１４間に横枠１５，１６を横架してなるもので、作業用天板２から下方側が後脚部４を形成し、その上方側が安全手摺り部５を形成する。
【００１７】
前脚体３を作業用天板２の前端部に使用位置と折畳位置との間で回転可能に枢着する回転連結金具９は、図５に示すように、作業用天板２側に固定した取付板３５の外側に、前脚体３に固定した連結板３６を連結して構成される。詳しくは、取付板３５の作業用天板２に対する取付部３５ａの下端縁に、作業用天板２の側端から適当範囲に亘って当り面３１が形成されると共に、取付部３５ａの下端部中央に枢支軸３７が貫通する枢支突部３５ｂが形成される。連結板３６の前脚体３に対する取付部３６ａの上端部の一方側から斜め上方に扇形の連結部３６ｂが形成され、他方側はＬ字状に折曲されて、開脚状態で取付板３５の下端の当り面３１が当接してそれ以上の回動を阻止する当り面３２が形成され、連結部３６ｂの下端部に枢支軸３７が貫通される。取付板３５の取付部３５ａの下部にはピン孔４０が形成され、このピン孔４０から連結板３６に向けて突出するように圧縮バネ（図示せず）付勢するピン３４が設けられ、連結板３６の連結部３６ｂには前脚体３の開脚状態と閉脚状態とで夫々ピン孔４０に合致してピン３４が嵌入係合する係合ピン孔４２ａ，４２ｂが形成されている。
【００１８】
しかして、前脚体３が折畳位置にある時は、図５の仮想線図示のように、取付板３５のピン孔４０を貫通したピン３４が図示しない圧縮バネにより突出付勢されて連結板６の係合ピン孔４２ｂに嵌入係合し、この折畳位置で前脚体３がロックされる。踏台１の使用時には、ピン３４を連結板３４の係合ピン孔４２ｂから離脱させ、前脚体３を前方へ回動することによって、前脚体３を使用位置とする。使用位置になると、突出付勢されたピン３４が連結板３６の係合ピン孔４２ａに嵌入係合して、図５の実線で示す使用位置にロックされる。
【００１９】
作業用天板２の後端部を後部枠体６に枢着する枢着金具１０は、一端部を作業用天板２の後端部に固定した取付部材１０ａの他端部と、一端部を後部枠体６側に固定した取付部材１０ｂの他端部とを枢支軸３０により枢支連結してなるもので、作業用天板２を、後部枠体６に対して、図５の実線図示のような使用位置と仮想線図示のような折畳位置との間で回転させることができる。
【００２０】
前脚体３は、回転連結金具９によって、図１に示すような後傾姿勢の使用位置に保持されるが、ブレース１１によって使用位置に更に安全に保持されるようになっている。このブレース１１の前端部は、前脚体３に枢支軸４３で枢着され、ブレース１１の後端部は、後部枠体６の後脚部４に固定された取付金具４４の先端部に枢支軸４５で枢着されている。この場合、ブレース１１の後端部側の枢支軸４５は、作業用天板２の後端部側の枢支軸３０よりも距離ｅ（作業用天板２の厚み程度）だけ前方に位置し（図４参照）、これによりブレース１１は作業用天板２の下面に沿うように折り畳み可能となる（図３参照）。
【００２１】
図６の(a) は掴み固定具７及び取付手段８の拡大正面図、(b) は平面図、(c) は(a) のＹ−Ｙ線断面図であり、(d) 及び(e) はそれ取付手段８の一部を示す正面図であり、図７の(a) は図１の矢印Ｚで示す部分拡大正面図、(b) は同部分の拡大左側面図、(c) は同部分の拡大平面図である。掴み固定具７及び取付手段８は、図２の(a) に示すように、夫々一対設けられている。各掴み固定具７は、上板部１７ａと両端板部１７ｂ，１７ｂとからなる下向きコ字状の金具本体１７と、この金具本体１７の一方の端板部１７ｂに螺通される締付用螺軸１８と、この螺軸１８の先端部に取り付けた押え片７ａとからなるもので、使用にあたっては、金具本体１７を手摺りＣの頂部Ｃｏに跨嵌させて、ツマミ１８により締付用螺軸１８を回転させることによって、金具本体１７を共用廊下の手摺り頂部Ｃｏに固定する。
【００２２】
各取付手段８は、後部枠体６の縦枠１４にその外側面側から嵌合する横向きコ字状の第１枠１９の後側壁１９ａに上向きコ字状の第２枠２０を固着してなる取付基枠２１と、この取付枠２１に一端部が枢支軸２３で枢着され且つ他端部が掴み固定具７の金具本体１７の上板部１７ａに固定されて、取付基枠２１及び掴み固定具７を連結する角筒状の連結枠２２とからなるもので、取付基枠２１は、後部枠体６の縦枠１４に対し取付高さ調整可能に取り付け固定され、連結枠２２は、取付基枠２１に対して、掴み固定具７を使用位置に保持する水平位置と、後部枠体６の縦枠１４に沿うように折り畳まれる折畳位置とに回動可能で、且つ水平位置及び折畳位置で夫々固定可能となっている。
【００２３】
上記取付手段８について更に説明すると、図７に示すように、後部枠体６の縦枠１４にはその長手方向に沿って一定ピッチでボルト挿通孔２４が設けられ、この縦枠１４に嵌合するコ字状第１枠１９の前後壁部１９ａ，１９ｂには上下２箇所に、縦枠１４側のボルト挿通孔２４と対応する位置にボルト挿通孔２５が設けられ、しかして第１枠１９を縦枠１４に嵌合した状態で第１枠１９側のボルト挿通孔２５から縦枠１４側のボルト挿通孔２４にボルト２６を挿通して、ナット２７で締め付けることにより、第１枠１９を縦枠１４上の所要高さ位置に取り付け固定することができる。
【００２４】
コ字状基枠１９と共に取付基枠２１を形成するコ字状取付枠２０は、図６に示すように、左右立上片２０ａ，２０ａと両立上片２０ａ，２０ａをつなぐ連結片２０ｂとによって同図の(c) に示すような下向きコ字状に形成されたもので、両立上片２０ａ，２０ａ間に嵌合された連結枠２２の一端部がボルトからなる枢支軸２３によってコ字状取付枠２０に枢着されている。
【００２５】
またコ字状取付枠２０の一方の立上片２０ａには枢支軸２３を中心とする半径上に円弧状の長孔２８が設けてあって、この円弧状長孔２８から、連結枠２２の一端部内に固着されたナット４６に蝶ボルト２９が螺入され、しかしてこの蝶ボルト２９を緩めた状態では連結枠２２は枢支軸２３を中心に回転可能となり、またこの蝶ボルト２９を、図６の(a) に示すような円弧状長孔２８の下端位置で締め付けることにより、連結枠２２は掴み固定具７の使用位置に固定され、また蝶ボルト２９を、図６の(e)  に示すような円弧状長孔２８の上端位置で締め付けることにより、連結枠２２が折り畳み位置に固定される。図６の(d) は蝶ボルト２９が円弧状スリット２８の中間部を通過する状態を示す。尚、連結枠２２の他端部は、金具本体１７の上板部１７ａに設けられた一対の取付片４７，４７間に嵌合されてリベット４８で固定されている。
【００２６】
上記のように構成される共用廊下作業用踏台１を使用して、共用廊下の天井Ｂに設置されている蛍光灯Ｅの管の取り替え作業を行う時は、図１に示すように、踏台１を開脚状態にして床Ａの上に置き、掴み固定具７と一体的に設けてある取付手段８の取付基枠２１を後部枠体６の縦枠１４に沿って適宜上下動させながら、掴み固定具７の金具本体１７を手摺りＣの頂部Ｃｏに跨嵌させた状態で締付用螺軸１８を回転させて金具本体１７を手摺り頂部Ｃｏに固定した後、取付基枠２１の第１枠１９を縦枠１４上の所要高さ位置にボルト２６とナット２７で固定し、第２枠２０の蝶ボルト２９を締め付けて連結枠２２を水平位置に固定し、これによって後部枠体６を手摺りＣに固定する。
【００２７】
この踏台１の後部枠体６は、後脚部４の上方に一体に延びて共用廊下の手摺りＣよりも高さの高い安全手摺り部５を有するから、図１に示すように作業者Ｍが作業用天板２上に上がった時に共用廊下の手摺りＣが作業者Ｍの腰高さに対して低くなっても、後部枠体６の安全手摺り部５が共用廊下の手摺りＣより十分高い位置にあるため、この安全手摺り部５により、作業者Ｍが蛍光灯Ｅの管の取り替え作業中に誤って共用廊下の手摺りＣから転落するという危険性を回避することができる。また、後部枠体６は、取付手段８を介して掴み固定具７で共用廊下の手摺りＣに固定されるから、踏台１の転倒が防止され、作業者Ｍは作業用天板２上での作業を安全に行うことができる。
【００２８】
また、踏台１の使用中に、住戸の住民がドアを開けたり、人が共用廊下を通行する時に踏台１が邪魔になるときは、回転連結金具９のロックを解除した状態で作業用天板２の前端部側を持ち上げると、図３及び図４に示すように、作業用天板２は枢支３０を中心に、ブレース１１は枢支軸４５を中心に夫々上向きに回転すると共に、前脚体３は作業用天板２及びブレース１１に連動して上方の折畳位置へ移動し、しかしてこれら作業用天板２とブレース１１と前脚体３とは図３の実線図示のように後部枠体６の前面側にサンドイッチ状にコンパクトに折り畳まれるようになっている。
【００２９】
また、踏台１の場所を移動する時は、取付基枠２１の蝶ボルト２９を緩め、掴み固定具７の締付用螺軸１８を緩めて、掴み固定具７の金具本体１７を引き上げれば、金具本体１７が手摺り頂部Ｃｏから外れると共に、掴み固定具７及び連結枠２２を、枢支軸２３を中心に上向きに回動させて後部枠体６の背面側に折り畳むことができるから、この状態で踏台１を所定の場所へ移動すればよい。また、作業が終了した時は、掴み固定具７及び連結枠２２を後部枠体６の背面側に折り畳むと共に、作業用天板２、ブレース１１及び前脚体３を後部枠体６の前面側に折り畳むことによって、踏台１の持ち運びが容易となり、また踏台１の保管が容易となる。
【符号の説明】
【００３０】
１            踏台
２            作業用天板
３            前脚体
４            後脚部
５            安全手摺り部
６            後部枠体
７            掴み固定具
８            取付手段
９            回転連結金具
１７          金具本体
１８          締付用螺軸
【図１】
2010174526.tif 000003
【図２】
2010174526.tif 000004
【図３】
2010174526.tif 000005
【図４】
2010174526.tif 000006
【図５】
2010174526.tif 000007
【図６】
2010174526.tif 000008
【図７】
2010174526.tif 000009